(57)【要約】      （修正有）【課題】簡単に設置可能な、寝具ずり落ち防止装置を提供する。【解決手段】錘または重しを用いる以下の３通りの幾つかを用いることにより、寝具のずり落ちを防ぐ。棒状の錘につけた数本の紐のもう片方の端を、縫いつけたり、安全ピンを仲立ちにして、寝具またはそのカバーに取り付ける。また、穴のついた数個の錘を、同様にして、寝具またはそのカバーに取り付ける。さらに、小粒の重い物質を詰めた袋を寝具の上に置く。この袋に動物などの縫いぐるみをつけ、動かしやすさとともに和みをもたらさせる。【選択図】図１
0003154244.tif 000002
【実用新案登録請求の範囲】
【請求項１】
数本の紐をつけた棒状の錘で寝具のずり落ちを防ぐ装置
【請求項２】
穴のついた数個の錘からなる寝具のずり落ちを防ぐ装置
【請求項３】
寝具の上に置くことによって、寝具のずり落ちを防ぐ、細かな重い詰め物を入れた袋
【考案の詳細な説明】
【技術分野】
【０００１】  本考案は、錘または重しを用いて寝具のずり落ちを防ぐ装置に関するものである。
【背景技術】
【０００２】  従来、毛布などはずり落ちを防ぐために、マットの下に巻きいれベッドメーキングして  きた。また、布団についてはずり落ちを防ぐ適当な方法が見当たらない。
【考案の概要】
【考案が解決しようとする課題】
【０００３】  毛布などによるベッドメーキングは面倒で、熟練を要する。布団についてはずり落ちを防ぐ適当な方法が見当たらない。どんな寝具にでも簡単に取り付け可能な、ずり落ち防止装置が望まれる。
【課題を解決するための手段】
【０００４】  錘または重しを用いる以下の３通りの方法の幾つかを用いることによって、寝具のずり落ちを防ぐ。まず、棒状の錘につけた数本の紐のもう片方の端を、縫いつけたり安全ピンを用いたりなどして、寝具またはそのカバーに取り付ける。また、穴のついた数個の錘を、同様にして、寝具またはそのカバーに取り付ける。さらに、小粒の重い物質を詰めた袋を寝具の上に置く。
【考案の効果】
【０００５】  前項で述べた錘や重しは寝具への取り付け、調節が容易であり、簡単であるが、ずれ止め効果がよい。また、ベッドの上の寝具だけでなく、畳の上に敷いた寝具のずれ止めにも役立つ。また、詰め物入りの重し袋は動物などの縫いぐるみをつければ心を和ませる飾りものともなる。
【図面の簡単な説明】
【０００６】
【図１】請求項１の棒状の錘の図である。
【図２】請求項２の穴のついた錘の例である。
【図３】請求項３の重しの例である。縫いぐるみに取り込んだ例も含む。
【考案を実施するための形態】
【実施例】
【０００７】  金属製の棒に数本の紐を取り付ける。紐の端を輪にして棒に通すと、適当なところに、紐を動かすことが出来る。棒の太さ長さ色は様々でよいが、普通、直径１〜２センチメートル位、長さは８０〜１５０センチメートル位。紐の幅、長さも様々。が、他方の端を縫い付けたり、寝具につけた安全ピンにくぐらせたりして、寝具に取り付けられるように、幅１．５〜３センチメートル、長さ２０〜５０センチメートル位。【０００８】  穴のついた数個の錘を作る。錘の材料は主に金属。穴は、その穴に糸を通して寝具に縫いつけたり、安全ピンの針をその穴に通して寝具に留めつけることが出来るような大きさ位置にあればよい。錘の中にあっても。錘から飛び出させても。図柄の一部となると面白い。錘の大きさ、形も様々。円盤、四角形、動物など。重さも寝具の種類によって変えてよい。【０００９】  細かい重いものを入れた重し袋。洗って消毒した砂、米、重いプラスチックの粒などを、まずプラスチックまたはゴムまたは目の詰まった防水性の袋に入れ、さらに布製の丈夫な袋に入れる。袋の下側の寝具に触れる部分は滑りにくい材質にすることが望ましい。袋の形、大きさは、様々だが、５キログラム入り米袋位が標準か。【００１０】  前項の袋に動物などの縫いぐるみをつける。または、縫いぐるみの中に前項の重し袋を組み込む。
【符号の説明】
【００１１】１  紐
２  棒
３  穴
４  外袋
５  内袋
【図１】
0003154244.tif 000003
【図２】
0003154244.tif 000004
【図３】
0003154244.tif 000005
【手続補正書】
【提出日】平成21年7月11日(2009.7.11)
【手続補正１】
【補正対象書類名】実用新案登録請求の範囲
【補正対象項目名】全文
【補正方法】変更
【補正の内容】
【実用新案登録請求の範囲】
【請求項１】
棒状の錘に紐を取り付け、その紐のもう片方の端を寝具またはそのカバーに取り付けて、寝具のずり落ち防ぐことを特徴とする寝具のずり落ち防止装置。
【請求項２】
錘の所定箇所に穴を設け、その穴を利用して寝具またはそのカバーに取り付け、寝具のずり落ちを防ぐことを特徴とする寝具ずり落ち防止装置。
【手続補正２】
【補正対象書類名】明細書
【補正対象項目名】０００１
【補正方法】変更
【補正の内容】
【０００１】  本考案は、錘を用いて寝具のずり落ちを防ぐ装置に関するものである。
【手続補正３】
【補正対象書類名】明細書
【補正対象項目名】０００４
【補正方法】変更
【補正の内容】
【０００４】  錘を用いる以下の２通りの方法の幾つかを用いることにより、寝具のずり落ちを防ぐ。まず、棒状の錘につけた数本の紐のもう片方の端を、縫いつけたり、安全ピンを用いたりなどして、寝具またはそのカバーに取り付ける。また、穴のついた何個かの錘を、同様にして、寝具またはカバーに取り付ける。
【手続補正４】
【補正対象書類名】明細書
【補正対象項目名】０００５
【補正方法】変更
【補正の内容】
【０００５】  前項で述べた錘は寝具への取り付け、調節が容易であり、簡単であるが、ずれ止め効果がよい。また、ベッドの上の寝具だけでなく、畳の上に敷いた寝具のずれ止めにも役立つ。
【手続補正５】
【補正対象書類名】明細書
【補正対象項目名】０００６
【補正方法】変更
【補正の内容】
【０００６】
【図１】請求項１の棒状の錘の図である。
【図２】請求項２の穴のついた錘の図である。
【手続補正６】
【補正対象書類名】明細書
【補正対象項目名】０００７
【補正方法】変更
【補正の内容】
【０００７】  金属製の棒に紐を取り付ける。紐の端を輪にして通すと、適当なところに、紐を動かすことが可能。棒の太さ長さ色は様々でよいが、普通、直径１〜２センチメートル位、長さ８０〜１５０センチメートル位。紐の本数、幅、長さも様々。が、他方の端を縫いつけたり、寝具につけた安全ピンにくぐらせたりして、寝具に取り付けられるように、幅１．５〜３センチメートル、長さ２０〜５０センチメートル位。
【手続補正７】
【補正対象書類名】明細書
【補正対象項目名】０００８
【補正方法】変更
【補正の内容】
【０００８】  穴のついた錘を作る。錘の材料は主に金属。穴は、その穴に糸を通して寝具に縫い付けたり、安全ピンの針をその穴に通して寝具にとめつけることが出来るような大きさと位置にあればよい。錘の中にあっても、錘から飛び出させても。図柄の一部となると面白い。錘の個数、大きさ、形は様々。円盤、四角形、動物など。重さも寝具の種類によって変えてよい。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】  １  紐
２  棒
３  穴
【手続補正１１】
【補正対象書類名】図面
【補正対象項目名】図３
【補正方法】削除
【補正の内容】